(57)【要約】【課題】複数人でＤＴＶの番組を視聴する際、一人がデータ放送を視聴し始めると、テレビ番組の表示範囲が狭くなり、他人の視聴を妨げてしまう。【解決手段】ＤＴＶ受信装置１と遠距離操作手段２からなる映像表示システムにおいて、データ放送や電子メールやＨＴＭＬなどのインターネットの情報データを遠距離操作手段２に送信し、遠距離操作手段２に搭載した表示装置２０３に表示する。また、ＤＴＶ受信装置１と複数の遠隔操作手段で構成されるシステムにおいて、ＤＴＶ受信装置１をサーバとして、遠距離操作手段２を有する個人ごとに異なるデータ放送やインターネットの情報データを視聴するサービスを展開することを可能とする。【選択図】図１
2006245728.tif 000002
【特許請求の範囲】
【請求項１】
ＤＴＶ受信装置と遠距離制御手段とで構成されるデジタル映像表示システムにおいて、前記遠距離制御手段に表示装置を設けて前記ＤＴＶ受信装置からユーザへ文字や映像による情報を通知可能であることを特徴とする映像表示システム。
【請求項２】
ＤＴＶ受信装置と、遠距離制御手段と、前記遠距離制御手段にデータ放送や電子メールやＨＴＭＬなどインターネットの情報データのデコード手段と、表示装置と、を設けることによって、前記ＤＴＶ受信装置の表示する映像に変化無く、前記遠距離制御手段に搭載した前記表示装置において、データ放送が視聴可能であることを特徴とする映像表示システム。
【請求項３】
ＤＴＶ受信装置と、遠距離制御手段とを備えるデジタル映像表示システムにおいて、前記ＤＴＶ受信装置にデータ放送に含まれるＢＭＬやＪＡＶＡ（登録商標）、映像、音声などを格納するデータ領域を設け、前記遠距離制御手段にデータ放送の表示装置と、を設け、現在表示しているチャネル以外のデータ放送を視聴者が要求した際に、データ領域にあらかじめ格納されたデータ放送のＢＭＬやＪＡＶＡ（登録商標）、映像、音声を前記遠距離制御手段に搭載した表示装置に表示することを可能とすることを特徴とするデジタル映像表示システム。
【発明の詳細な説明】
【技術分野】
【０００１】
本発明は、ＤＴＶ受信装置および、遠隔操作手段を備えた映像表示システムに関するものである。            
【背景技術】
【０００２】
デジタル放送では、従来の動画映像と音声によるテレビ番組（以後、テレビ番組と記述する）と同時にテレビ番組の情報、またはテレビ番組自体をデータとして放送する（以後、データ放送と記述する）。ＤＴＶ受信装置はデータ放送を受信し、データが文字や映像である場合はオンスクリーンディスプレイ（以後、ＯＳＤと記述する）に文字や映像をデコードし、テレビ番組の映像の一部、または全部に合成して表示する。
【０００３】
また、ＯＳＤはＤＴＶ受信装置が視聴者に対して、データ放送の受信通知や、警告などのメッセージを表示する場合にも用いる。
【特許文献１】特開平９−２９８６７７号公報
【発明の開示】
【発明が解決しようとする課題】
【０００４】
複数人でテレビ番組を視聴している際に、一人がデータ放送やインターネットの情報を見る場合や、ＤＴＶ受信装置が、現在データを受信中であることを視聴者に知らせるためのメッセージを表示するというような場合がある（以後、データ放送やインターネットの情報、メッセージなども纏めて、データ放送と記述する）。
【０００５】
このとき従来の映像表示システムでは、図４のように、テレビ番組の一部分をＯＳＤで覆い隠したり、テレビ番組を縮小して表示し、空いた空間でＯＳＤを表示する。これは、データ放送を必要としない視聴者に対して、テレビ番組視聴の妨げとなってしまう。  
【課題を解決するための手段】
【０００６】
本発明は上述の課題を解決するために、ＤＴＶ受信装置と遠距離制御手段とで構成されるデジタル映像表示システムであって、前記遠距離制御手段に表示装置を設けることにより、ＤＴＶ受信装置からの文字や映像による情報を遠距離制御手段において通知が可能とするものであり、このデジタル映像表示システムにおいてはユーザが手元、または近い範囲において情報を視聴することができる。
【発明の効果】
【０００７】
遠距離操作手段を操作する視聴者毎にデータ放送を視聴することが可能になる。また、データ放送を視聴する際、ＤＴＶ受信装置が表示するテレビ番組の映像への影響を無くすことが可能になる。また、本発明を応用することによって、ＤＴＶ受信装置と複数の遠隔操作手段で構成されるシステムにおいて、ＤＴＶ受信装置をサーバとして、遠隔操作手段を有する個人ごとに異なるデータ放送を視聴するサービスを展開することが可能となる。
【発明を実施するための最良の形態】
【０００８】
ＤＴＶ受信装置に、受信した放送から特定のデータ放送を抜き出し、遠距離操作装置に対して送信する機能を追加し、表示装置を搭載した遠距離操作手段にＤＴＶ受信装置から送信されたデータ放送をデコードするデコード手段を追加した点が本発明の特徴であり、以下にその実施の形態について説明する。
【０００９】
（実施の形態１）
図１は、本発明装置の実施の形態１の一例を説明するための概略図であり、図１の１はＤＴＶ受信装置を示し、２は遠距離操作手段を示す。
【００１０】
視聴者は遠距離制御手段２に搭載した入力装置２０４を操作し、データ放送を見るための入力を行う。入力装置２０４は、データ放送を視聴することを示す信号（以後、データ放送視聴信号と記述する）を送受信装置２０１に送信する。前記データ放送視聴信号は、遠距離操作手段２の送受信装置２０１（以後、第２の送受信装置２０１と記す）からＤＴＶ受信装置１の送受信装置１０５（以後、第１の送受信装置１０５と記す）に送信され、ＤＴＶ受信装置１に搭載された制御装置１０６で認識される。
【００１１】
制御装置１０６は現在表示しているチャネルに関連するデータ放送を視聴するために適正な設定を行う。
【００１２】
１０１はＤＴＶのチューナであり、制御装置１０６の指示によって、放送波の前記チャネルに該当する周波数領域をトランスポートストリーム（以後、ＴＳと記述する）として復調し、トランスポートデコーダ１０２に供給する。
【００１３】
トランスポートデコーダ１０２は制御装置１０６の指示に従い、ＴＳから映像と音声のトランスポートストリームパケット（以後、ＴＳＰと記述する）を抜き出し、ＡＶデコーダ１０３に送信する。ＡＶデコーダ１０３はＴＳＰから映像と音声の信号をデコードして、表示装置１０４にテレビ番組として表示する。
【００１４】
一方、トランスポートデコーダ１０２では制御装置１０６の指示に従って、ＴＳから適当なデータ放送のＴＳＰを抜き出して第１の送受信装置１０５に送信し、第１の送受信装置１０５は遠距離操作手段２に対して送信する。
【００１５】
遠距離操作手段２は第２の送受信装置２０１によって前記データ放送のＴＳＰを受信しデコーダ２０２に送信する。デコーダ２０２は、受信した前記データ放送のＴＳＰをデコードし、文字や映像を作成して表示装置２０３に表示する。
【００１６】
なお、チューナ１０１をモデムなどネットワーク接続可能な装置に変更することでインターネットの情報データも同様に扱うことが可能である。
【００１７】
なお、ＤＴＶ受信装置と複数の遠隔操作手段で構成されるシステムにおいては、送受信機１０５と送受信機２０１で通信されるデータに遠隔操作手段毎に異なるＩＤやＩＰのような識別手段を付加する事で遠隔操作手段毎に異なるデータ放送を視聴するということも可能になる。
【００１８】
なお、ＤＴＶ受信装置の状態などを視聴者に伝えるために、制御装置１０６によって文字や映像の信号を作成し、第１の送受信装置１０５へ送信し、第１の送受信装置１０５から前記文字情報を送受信装置２０１へ送信し、デコーダ２０２で文字を作成して表示装置２０３に表示することも可能である。
【００１９】
なお、デコーダ２０２はデコード手段を有するハードウェア、ソフトウェアのどちらでも実現可能である。
【００２０】
なお、第１の送受信装置１０５と第２の送受信装置２０１で送受信する信号を暗号化することによって、ＤＴＶ受信装置と遠隔操作手段との間でセキュリティを高めることが可能となる。
【００２１】
なお、ＤＴＶ受信装置が複数のチューナを搭載する場合では、遠隔操作装置からチャネルとデータ放送視聴信号を送信することで、ＤＴＶ受信装置で表示中の番組とは関係のないデータ放送を視聴することが可能である。
【００２２】
（実施の形態２）
本発明の第２の実施の形態は、（実施の形態１）の構成に対して、ＤＴＶ受信装置でデータ放送のＴＳＰをデコードすることで、遠隔操作手段の負担を軽くし、遠隔操作手段の小型化省電力化を考えた構成である。
【００２３】
図２は、本発明装置の第２の実施の形態の一例を説明するための概略図であり、（実施の形態１）と同様、図２中１はＤＴＶ受信装置を示し、２は遠距離操作手段を示す。
【００２４】
視聴者は遠距離制御手段２に搭載した入力装置２０４を操作し、データ放送を見るための入力を行う。入力装置２０４はデータ放送視聴信号を送受信装置に送信する。前記データ放送視聴信号は、第２の送受信装置２０１から第１の送受信装置１０５に送信され、ＤＴＶ受信装置１に搭載された制御装置１０６で認識される。
【００２５】
制御装置１０６は現在表示しているチャネルに関連するデータ放送を視聴するために適正な設定を行う。１０１はＤＴＶのチューナであり、制御装置１０６の指示によって、放送波の前記チャネルに該当する周波数領域をＴＳとして復調し、トランスポートデコーダ１０２に供給する。トランスポートデコーダ１０２は制御装置１０６の指示に従い、前記ＴＳを映像と音声のＴＳＰを抜き出し、ＡＶデコーダ１０３に送信する。
【００２６】
ＡＶデコーダ１０３は映像と音声の信号をデコードして表示装置１０４にテレビ番組として表示する。
【００２７】
一方、トランスポートデコーダ１０２では制御装置１０６の指示に従って、ＴＳから適当なデータ放送のＴＳＰを抜き出してデコーダｂ１０７に送信する。デコーダｂ１０７では前記データ放送のＴＳＰをデコードして、データ放送の映像信号を作成し、送受信装置１０５に送信し、送受信装置１０５は遠距離操作手段２に対して送信する。
【００２８】
遠距離操作手段２は、第２の送受信機２０１によって前記データ放送の映像信号を受信し、表示装置２０３に表示する。
【００２９】
なお、チューナ１０１をモデムなどネットワーク接続可能な装置に変更することでインターネットの情報データも同様に扱うことが可能である。
【００３０】
なお、ＤＴＶ受信装置１と複数の遠距離隔操作手段で構成されるシステムにおいては、送受信機１０５と送受信機２０１で通信されるデータに遠隔操作手段毎に異なるＩＤやＩＰのような識別手段を付加する事で、遠距離隔操作手段毎に異なるデータ放送を視聴するということも可能になる。
【００３１】
なお、（実施の形態１）と同様、第１の送受信装置１０５と第２の送受信装置２０１で送受信する信号を暗号化することによって、ＤＴＶ受信装置１と遠距離隔操作手段２との間でセキュリティを高めることが可能となる。
【００３２】
なお、（実施の形態１）と同様、ＤＴＶ受信装置が複数のチューナを搭載する場合では、遠距離隔操作手段２からチャネルとデータ放送視聴信号を送信することで、ＤＴＶ受信装置で表示中の番組とは関係のないデータ放送を視聴することが可能である。
【００３３】
（実施の形態３）
本発明の第３の実施の形態は、（実施の形態２）と同様、遠距離隔操作手段の小型化省電力化に加えて、既存のブラウザのようなデコード手段を搭載した携帯電話やパーソナルコンピュータなどからデータ放送を視聴することを考えた構成である。
【００３４】
図３は、本発明の第３の実施の形態の一例を説明するための概略図であり、（実施の形態１）と同様、図３の１はＤＴＶ受信装置を示し、２は遠距離操作手段を示す。
【００３５】
装置１０１はＤＴＶのチューナであり、制御装置１０６の指示によって、放送波の適当な周波数領域をＴＳとして復調し、トランスポートデコーダ１０２に供給する。トランスポートデコーダ１０２は制御装置１０６の指示に従い、前記ＴＳを映像と音声のＴＳＰを抜き出し、ＡＶデコーダ１０３に送信する。
【００３６】
ＡＶデコーダ１０３は、映像と音声の信号をデコードして表示装置１０４にテレビ番組として表示する。一方、トランスポートデコーダ１０２では制御装置１０６の指示に従って、前記ＴＳから適当なデータ放送のＴＳＰを抜き出して、デコーダｃ（１０８）に送信する。
【００３７】
デコーダｃ（１０８）では、データ放送のＴＳＰをデコードして、ＢＭＬやＪＡＶＡ（登録商標）、画像、音声などデータ放送の部品をデータフォルダ１０９に保存する。
【００３８】
視聴者は遠距離操作手段２に搭載した入力装置２０４を操作し、データ放送受信信号を第２の送受信装置２０１と第１の送受信装置１０５を解してＤＴＶ受信装置１に搭載された制御装置１０６に伝える。データフォルダ１０９に該当するデータ放送の部品が格納されていれば、遠距離操作手段２は前記データ放送の部品を第１の送受信装置１０５、第２の送受信装置２０１を介してデコーダ２０５に入力し、デコーダ２０５はデータ放送を表示装置２０３に表示する。
【００３９】
なお、チューナ１０１をモデムなどネットワーク接続可能な装置に変更することでインターネットの情報データも同様に扱うことが可能である。
【００４０】
なお、ＤＴＶ受信装置１と複数の遠距離隔操作手段で構成されるシステムにおいては、送受信機１０５と送受信機２０１で通信されるデータに遠隔操作手段毎に異なるＩＤやＩＰのような識別手段を付加する事で、遠距離隔操作手段毎に異なるデータ放送を視聴するということも可能になる。
【００４１】
なお、ＤＴＶ受信装置１からデータ放送の視聴が可能になったことを示す信号を遠距離操作手段２に送信することで視聴者がデータ放送を視聴出来るタイミングを知ることが可能である。
【００４２】
なお、あらかじめ複数のチャネルからデータ放送を受信し、データフォルダ１０９にデータ放送の部品を格納しておくことで、チューナが複数ない場合でも、現在表示しているテレビ番組と関係ないデータ放送を遠距離操作手段２で視聴可能になる。
【００４３】
なお、ＢＭＬに対応しないブラウザで、ＢＭＬで記述されたデータ放送を視聴しようとする際に、ＤＴＶ受信装置においてあらかじめＢＭＬをＨＴＭＬなど一般的な言語に変換しておくことで、データ放送視聴可能な機器を広げることが可能となる。
【産業上の利用可能性】
【００４４】
本発明はデジタルテレビジョン放送を複数人で視聴する際に、他人の視聴を妨害することなくデータ放送を視聴することを可能とする。また、近年では、携帯電話を個人用の遠隔操作手段として使用することが可能であり、携帯電話に搭載されたブラウザ機能をデータ放送の視聴に応用することを可能とする。
【図面の簡単な説明】
【００４５】
【図１】本発明の発明装置の第１の実施例の構成を示す図
【図２】本発明の発明装置の第２の実施例の構成を示す図
【図３】本発明の発明装置の第３の実施例の構成を示す図
【図４】従来のＤＴＶ受信装置においてデータ放送を視聴する際の変化状態を示す図
【符号の説明】
【００４６】
１    ＤＴＶ受信装置
２    遠隔操作手段
１０１    チューナ
１０２    トランスポートデコーダ
１０３    ＡＶデコーダ
１０４    表示装置
１０５    送受信装置
１０６    制御装置
１０６ｂ    制御装置
１０６ｃ    制御装置
１０７    デコーダｂ
１０８    デコーダｃ
１０９    データフォルダ
２０１    送受信装置
２０２    デコーダ
２０３    表示装置
２０４    入力装置
２０５    デコーダ
【図１】
2006245728.tif 000003
【図２】
2006245728.tif 000004
【図３】
2006245728.tif 000005
【図４】
2006245728.tif 000006